(57)【要約】  【課題】使い勝手を向上した音声出力装置を提供する。  【解決手段】油圧ショベルのキャブ14に音声を出力する出力部36をキャブ14内に設ける。オペレータが作業装置16を操作するキャブ14内の操作レバー27に、出力部36が出力する音声をミューティングするミュートスイッチ44を設ける。オペレータが作業装置16を操作する姿勢のままで出力部36が出力する音声をミューティングできるので、使い勝手が向上する。  【選択図】図１
2005193719.tif 000002
【特許請求の範囲】
【請求項１】
運転室に少なくとも音声を出力する出力部と、
運転室内に設けられ被操作部を操作する操作部に設けられ、出力部から出力される音声をミューティングするミュートスイッチと
を具備したことを特徴とする音声出力装置。
【請求項２】
ミュートスイッチは、出力部から出力される音声のミューティング状態での操作により、出力部から出力される音声の音量を元の状態に復帰させる
ことを特徴とした請求項１記載の音声出力装置。
【請求項３】
操作部を有する運転室を備えた車両と、
操作部により操作される被操作部としての作業装置と、
請求項１または２記載の音声出力装置と
を具備したことを特徴とする作業機械。
【発明の詳細な説明】
【技術分野】
【０００１】
本発明は、運転室内に少なくとも音声を出力する出力部を有する音声出力装置およびこれを備えた作業機械に関する。
【背景技術】
【０００２】
従来、例えば作業機械のキャブ内などに設けられた運転室には、運転席の後方の上部などにラジオ装置が設けられている。このラジオ装置は、受信した番組などの音声を、スピーカなどを介して運転室内に出力し、長時間に亘ってキャブ内で作業をする作業者すなわちオペレータの便宜を図っている（例えば、特許文献１参照。）。
【特許文献１】特開２００３−１９３５１３号公報（第３−４頁、図１）
【発明の開示】
【発明が解決しようとする課題】
【０００３】
例えばオペレータがキャブの外部の作業者と会話すなわちコンタクトする際などには、ラジオ装置から出力される音声をミューティングする必要がある。
【０００４】
しかしながら、上述の音声出力装置では、ラジオ装置が運転席の後方の上部に設けられているため、ラジオ装置から出力される音声の音量を操作する度にオペレータが立ち上がらなければならず、使い勝手が良好でないという問題点を有している。
【０００５】
本発明は、このような点に鑑みなされたもので、使い勝手を向上した音声出力装置およびこれを備えた作業機械を提供することを目的とするものである。
【課題を解決するための手段】
【０００６】
請求項１記載の発明は、運転室に少なくとも音声を出力する出力部と、運転室内に設けられ被操作部を操作する操作部に設けられ、出力部から出力される音声をミューティングするミュートスイッチとを具備した音声出力装置であり、出力部から運転室に出力される音声をミューティングするミューティングスイッチを、被操作部を操作する操作部に設けることで、被操作部を操作する姿勢のままで出力部から出力される音声をミューティングできるので、使い勝手が向上する。
【０００７】
請求項２記載の発明は、請求項１記載の音声出力装置において、ミュートスイッチは、出力部から出力される音声のミューティング状態での操作により、出力部から出力される音声の音量を元の状態に復帰させるものであり、出力部から出力される音声のミューティング状態でミュートスイッチを操作すると出力部から出力される音声の音量が元の状態に復帰するので、使い勝手がより向上する。
【０００８】
請求項３記載の発明は、操作部を有する運転室を備えた車両と、操作部により操作される被操作部としての作業装置と、請求項１または２記載の音声出力装置とを具備した作業機械であり、作業装置を操作する操作部に出力部から出力される音声をミューティングするミュートスイッチを有する音声出力装置を備えることで、例えば出力部から出力された音声を、操作部を操作する姿勢のままで操作可能になるので、操作性が向上し、作業装置による作業性が向上する。また、作業者の意思に反して操作部に触れてしまうなどの誤操作を防止する。
【発明の効果】
【０００９】
請求項１記載の発明によれば、出力部から運転室に出力される音声をミューティングするミューティングスイッチを、被操作部を操作する操作部に設けることで、被操作部を操作する姿勢のままで出力部から出力される音声をミューティングできるので、使い勝手を向上できる。
【００１０】
請求項２記載の発明によれば、出力部から出力される音声のミューティング状態でミュートスイッチを操作すると出力部から出力される音声の音量が元の状態に復帰するので、使い勝手をより向上できる。
【００１１】
請求項３記載の発明によれば、作業装置を操作する操作部に出力部から出力される音声をミューティングするミュートスイッチを有する音声出力装置を備えることで、例えば出力部から出力された音声を、操作部を操作する姿勢のままで操作可能になるので、操作性を向上でき、作業装置による作業性を向上できる。また、作業者の意思に反して操作部に触れてしまうなどの誤操作を防止できる。
【発明を実施するための最良の形態】
【００１２】
以下、本発明を図１乃至図４に示された実施の形態を参照しながら詳細に説明する。
【００１３】
図３は、作業機械としての油圧ショベルを示し、下部走行体11に旋回軸受部12を介して上部旋回体13が旋回可能に設けられ、この上部旋回体13の前部一側上に運転室としてのキャブ14が搭載されている。そして、これら下部走行体11、上部旋回体13により、車両としての機械本体15が構成されている。また、上部旋回体13の前部他側上には、掘削作業などをするための被操作部としての作業装置16が搭載され、また、上部旋回体13の後部上には、エンジンと、このエンジンにより駆動される油圧ポンプおよび発電機などの動力装置が搭載され、動力装置カバー17により覆われている。
【００１４】
図１および図４は、キャブ14の内部を示し、このキャブ14は、キャブ本体21の内部に、後傾可能な背凭れ体22を有する運転席23が設けられ、この運転席23の背凭れ体22の後方に収納装置としてのランチボックス24が配置され、このランチボックス24の上部には、空調風を吹出すための吹出口25が設置されている。さらに、運転席23の左右両側部にはコンソール26が配置され、これらコンソール26の前側上部には、作業装置16を操作する操作部としての操作レバー27がそれぞれ突設されている。さらに、コンソール26の後側上部には、アームレスト28が前方に突設され、このアームレスト28は、コンソール26に対して上下方向に進退可能に設けられている。
【００１５】
また、キャブ14には、運転席23の後部および右側部に、後窓部31および右窓部32がそれぞれ設けられている。
【００１６】
さらに、運転席23の右側、すなわち乗降口34と反対側すなわち右側に位置したアームレスト28の下のコンソール26の上部には、図２などに示されるように、装置本体としてのラジオ装置33が埋め込まれて組み付けられている。
【００１７】
このラジオ装置33は、図示されないアンテナを介して受信したラジオ信号を変換し、キャブ14内のラジオ装置33とは異なる位置、例えばキャブ14の上部後方の左右の位置に設けられた出力装置としてのスピーカ35，35により音声としてキャブ14内に出力するものである。これらスピーカ35，35は、キャブ14内の図示されない配線によりラジオ装置33と電気的に接続されている。
【００１８】
そして、これらラジオ装置33およびスピーカ35，35などにより、出力部36が構成されている。
【００１９】
また、ラジオ装置33には、操作パネル37が一体的に設けられ、右側のコンソール26の上部表面に位置している。この操作パネル37は、ラジオ装置33の電源をオンオフする電源スイッチ、ラジオ装置33で受信する信号の周波数帯域を操作する帯域操作スイッチ、液晶パネル、ラジオ装置33から出力される音声の音量を調整するボリュームスイッチなどを有するスイッチパネルである。
【００２０】
一方、運転席23の右側に位置した操作レバー27の先端部の後側には、図１および図２に示されるように、スイッチ部41が設けられている。このスイッチ部41には、エンジンの回転数を所定の回転数に低減する長手状のワンタッチローアイドルスイッチ42、および、ラジオ装置33の音量をミューティングするミュートスイッチ44などの各種スイッチが設けられている。
【００２１】
ミュートスイッチ44は、ワンタッチローアイドルスイッチ42の側方に位置し、作業者すなわちオペレータが操作レバー27を握った状態で、例えば親指で操作可能となっている。そして、このミュートスイッチ44は、ラジオ装置33の通常の音声状態で押されることで、ラジオ装置33から出力される音声をミューティング、すなわち遮断あるいは急激に低減させるとともに、ラジオ装置33からスピーカ35，35を介して出力される音声、すなわち出力部36から出力される音声のミューティング状態で押されることで、出力部36から出力される音声の音量を元の状態に復帰させる。
【００２２】
そして、出力部36、操作パネル37、および、ミュートスイッチ44などにより、音声出力装置が構成されている。
【００２３】
次に、上記図１乃至図４に示された実施の形態の作用効果を説明する。
【００２４】
ラジオ装置33を作動させる場合には、オペレータは操作パネル37の電源スイッチを操作する。そして、オペレータは、操作レバー27を握って作業装置16を操作する。
【００２５】
作業中にキャブ14の外部にいる作業者などと会話すなわちコンタクトする際などには、オペレータが操作レバー27を握った状態でミュートスイッチ44を親指などで押し、出力部36から出力される音声をミューティングする。
【００２６】
再度作業に戻る際には、オペレータがミュートスイッチ44を親指などで再度押し、出力部36から出力される音声のミューティング状態を解除する。
【００２７】
このように、出力部36からキャブ14内に出力される音声を、ラジオ装置33の電源をオフせずにミューティングするミュートスイッチ44を、作業装置16を操作する操作レバー27に設けることで、アームレスト28の下部にオペレータが手を挿入して操作パネル37を操作することなく作業装置14を操作する姿勢のままで作業をしながら出力部36から出力される音声をミューティングできるので、使い勝手を向上できる。
【００２８】
そして、出力部36から出力される音声をミューティングすることで、出力部36から出力される音声などに邪魔されることなくキャブ14の外部にいる作業者などと確実にコンタクトできる。
【００２９】
また、出力部36から出力される音声のミューティング状態でミュートスイッチ44を操作すると出力部36から出力される音声の音量が元の状態に復帰するので、例えば出力部36から出力される音声を元の状態に復帰させるためにボリュームスイッチなどを操作する場合などと比較して、使い勝手をより向上できる。
【００３０】
さらに、ミュートスイッチ44を操作レバー27の先端部の後部に設けることで、オペレータが親指でミュートスイッチ44を操作できるので、操作性を向上できるとともに、オペレータが運転席23に座ったままの姿勢でミュートスイッチ44を目視確認しながら操作できるので、ワンタッチローアイドルスイッチ42などを誤って操作することを防止できる。
【００３１】
そして、スイッチ部41は、ワンタッチローアイドルスイッチ42を左側に配置し、ミュートスイッチ44を右側の上部に配置することで、右手で操作レバー27を握った状態で右手の親指に近い位置から使用頻度の順に配置されているため、操作性を向上できる。
【００３２】
また、スイッチ部41を操作レバー27に設けることで、スイッチ部41を他の部分に設ける場合と比較して、省スペース化できる。
【００３３】
さらに、上述のような音声出力装置を油圧ショベルに設けることで、出力部36から出力された音声を、操作レバー27を操作する姿勢のままで操作可能になるので、操作性を向上でき、作業装置14による作業性を向上できるとともに、オペレータの意思に反して操作レバー27に触れてしまうなどの誤操作を防止できる。
【００３４】
なお、上記一実施の形態において、ラジオ装置33を設ける位置は、右側のコンソール26の上部に限定されるものではない。例えば、図５に示されるように、運転席23の上方であるキャブ14内の上部にラジオ装置33を設ける構成なども可能である。この場合には、ミュートスイッチ44を操作レバー27に設けることで、上記一実施の形態と同様の作用効果を奏することができるとともに、オペレータが運転席23から立ち上がったりしてラジオ装置33に体を傾けて姿勢を変えることなく、作業装置14を操作する姿勢のままで作業をしながら出力部36から出力される音声をミューティングできるので、使い勝手をより向上できる。
【００３５】
また、油圧ショベルとしては、キャノピタイプのものにも対応して用いることができる。
【００３６】
さらに、音声出力装置は、作業機械以外にも、運転室を有する、例えば乗物などに使用することも可能である。
【００３７】
そして、ミュートスイッチ44は、操作レバー27の前側、あるいは運転席23の左側に位置する操作レバー27に設けることもできる。
【００３８】
また、スピーカ35は、少なくとも一つ配置されていればよく、その配置も上記構成の位置に限定されるものではない。
【００３９】
さらに、出力部36に使用される装置本体としては、ラジオ装置33以外にも、例えばカセットテープ、ＣＤ、ＭＤなどのオーディオ機器、あるいはテレビ装置などを用いることもできる。
【図面の簡単な説明】
【００４０】
【図１】本発明に係る音声出力装置を備えた作業機械の運転室の一実施の形態を示す斜視図である。
【図２】同上音声出力装置の操作部近傍を示す平面図である。
【図３】同上作業機械を示す側面図である。
【図４】同上運転室を示す斜視図である。
【図５】同上音声出力装置の他の実施の形態を示す斜視図である。
【符号の説明】
【００４１】
14    運転室としてのキャブ
15    車両としての機械本体
16    被操作部としての作業装置
27    操作部としての操作レバー
36    出力部
44    ミュートスイッチ
【図１】
2005193719.tif 000003
【図２】
2005193719.tif 000004
【図３】
2005193719.tif 000005
【図４】
2005193719.tif 000006
【図５】
2005193719.tif 000007